(57)【要約】【課題】  身体へのフィット感が向上し、かつ蒸れにくい骨盤ベルトを提供する。【解決手段】  骨盤ベルト１０１の左右の腰側部領域５，１１に、通気性かつ伸縮性の生地の３本の帯１３，１５，１７が、一部が互いに重なることにより隙間なく、かつ上下に並ぶように配置されている。左右の臀部領域７，９には、同様の生地の４本の帯１９，２１，２３，２５が、同様に配置されている。それぞれの領域のつなぎ部２７，２９，３１と、身体の前部に当たるベルト両端部１，３とにおいて、３本又は４本の帯の両端部が互いに連結されている。各領域において腰回りの形に合う膨らみを持たせるように、各領域の３本又は４本の帯は、つなぎ部２７，２９，３１に連結される端部の輪郭が、弧状に膨らみ出る形状を成している。全体が環状となるように、ベルト両端部１，３が面ファスナー２，４により互いに着脱自在に連結される。【選択図】  図１
2017209264.tif 000002
【特許請求の範囲】
【請求項１】
骨盤ベルトであって、
身体の左右の腰側部及び左右の臀部にそれぞれ相当する左右の腰側部領域及び左右の臀部領域の４領域の各領域において、通気性かつ伸縮性の生地の３本以上の帯が、一部が互いに重なることにより隙間なく、かつ上下に並ぶように配置され、
前記４領域のつなぎ部と、前記身体の前部に相当し前記左右の腰側部領域につづくベルト両端部とにおいて、前記各領域の前記３本以上の帯の一端部同士及び他端部同士が互いに連結されており、
前記４領域の各つなぎ部において、隣り合う２領域の前記３本以上の帯同士が互いに連結されており、
前記各領域の前記３本以上の帯は、前記各つなぎ部において連結される端部の輪郭が弧状に膨らみ出る形状を成しており、縫い目が、弧状に膨らみ出る形状の前記輪郭に沿いかつ前記骨盤ベルトの長尺方向には膨らまないように、前記各つなぎ部において、前記隣り合う２領域の前記３本以上の帯同士が直接に又は他の生地を介して縫い合わせられており、それによって、前記各領域の前記３本以上の帯は、腰回りの形に沿う立体的な膨らみを付与されており、
全体が環状となるように、前記ベルト両端部が互いに着脱自在に連結される、骨盤ベルト。
【請求項２】
前記左右の臀部領域同士の前記つなぎ部は、他の前記つなぎ部よりも上下に長く、かつ、前記３本以上の帯の本数は、前記左右の腰側部領域よりも前記左右の臀部領域の方が多く、かつ、前記左右の臀部領域における前記３本以上の帯のうち、下端の帯が最も長く、それにより臀部の下部をもカバーする請求項１に記載の骨盤ベルト。
【請求項３】
前記各領域において前記３本以上の帯は、上下両端の帯よりも短い帯をそれらの間に含んでいる、請求項１又は２に記載の骨盤ベルト。
【請求項４】
前記各つなぎ部及び前記ベルト両端部には、それぞれに隣接する領域の前記３本以上の帯が連結される非伸縮性の生地の帯が配置されている、請求項１から３のいずれかに記載の骨盤ベルト。
【請求項５】
前記各つなぎ部の裏側には、滑り止めが設けられている、請求項１から４のいずれかに記載の骨盤ベルト。
【請求項６】
前記各つなぎ部の表側にも、滑り止めが設けられている、請求項５に記載の骨盤ベルト。
【請求項７】
前記左右の臀部領域同士のつなぎ部を除き、前記左右の腰側部領域と前記左右の臀部領域とのつなぎ部に、剛性の芯材が設けられている、請求項１から６のいずれかに記載の骨盤ベルト。
【請求項８】
前記各領域の前記３本以上の帯の生地は、ナイロン繊維を巻き付けたウレタン繊維をメッシュ状に織り込んだ生地である、請求項１から７のいずれかに記載の骨盤ベルト。
【請求項９】
前記ベルト両端部に、対をなす面ファスナーが設けられており、それにより前記ベルト両端部が互いに着脱自在に連結される、請求項１から８のいずれかに記載の骨盤ベルト。
【発明の詳細な説明】
【技術分野】
【０００１】
本発明は、骨盤ベルトに関する。
【背景技術】
【０００２】
骨盤ベルトは、出産により開いた女性の骨盤を産後において戻すために、腰を締め付けるもので、早く痩せることができるだけでなく、内臓が下がる、Ｏ脚（おうきゃく）になる、腰痛を患う、といった二次的症状を予防する意味もあって、この十年来、重要性が広く認識されつつある。市販されている従来の骨盤ベルトは、大半部が弾性のない厚手の帯からなり、一部のみが弾性的に伸びるようになっており、体になじむような配慮がなされてはいなかった。このため、市販の骨盤ベルトは、装着したときに窮屈で、異物感・違和感が強く、さらに体の線がくずれる、蒸れ易い、という問題点があった。
【０００３】
特許文献１には、伸縮性の素材を用いた骨盤ベルトが開示されている。しかし、骨盤ベルトの全体が幅広の１本の帯により構成されており、そのために、身体へのフィット感が十分ではない、という問題点があった。
【先行技術文献】
【特許文献】
【０００４】
【特許文献１】特開２００２−３４５８６６号公報
【発明の概要】
【発明が解決しようとする課題】
【０００５】
本発明は上記の問題点に鑑みてなされたもので、身体へのフィット感が向上し、かつ蒸れにくい骨盤ベルトを提供することを目的とする。
【課題を解決するための手段】
【０００６】
上記課題を解決し上記目的を達成するために、本発明のうち第１の態様によるものは、骨盤ベルトであって、身体の左右の腰側部（こしそくぶ）及び左右の臀部にそれぞれ相当する左右の腰側部領域及び左右の臀部領域の４領域の各領域において、通気性かつ伸縮性の生地の３本以上の帯が、一部が互いに重なることにより隙間なく、かつ上下に並ぶように配置されている。また、前記４領域のつなぎ部と、前記身体の前部に相当し前記左右の腰側部領域につづくベルト両端部とにおいて、前記各領域の前記３本以上の帯の一端部同士及び他端部同士が互いに連結されている。さらに、前記４領域の各つなぎ部において、隣り合う２領域の前記３本以上の帯同士が互いに連結されている。そして、前記各領域の前記３本以上の帯は、前記各つなぎ部において連結される端部の輪郭が、弧状に膨らみ出る形状を成しており、縫い目が弧状に膨らみ出る形状の前記輪郭に沿いかつ前記骨盤ベルトの長尺方向には膨らまないように、前記各つなぎ部において、前記隣り合う２領域の前記３本以上の帯同士が直接に又は他の生地を介して縫い合わせられており、それによって、前記各領域の前記３本以上の帯は、腰回りの形に沿う立体的な膨らみを付与されている。さらに、全体が環状となるように、前記ベルト両端部が互いに着脱自在に連結される。
【０００７】
この構成によれば、４領域の各々において、伸縮性の生地の３本以上の帯が、隙間無く上下に並ぶように配置され、かつ腰回りの形に沿う立体的な膨らみを付与されているので、装着したときの身体へのフィット感が高められる。各領域に１本のみの帯ではなく３本以上の帯が配置されるので、帯が、腰回りの上下方向に沿った部分ごとに個別に沿い易く、身体へのフィット感が特に向上する。また、各領域の３本以上の帯は、通気性の生地であるので、装着したときに蒸れにくい。
【０００８】
本発明のうち第２の態様によるものは、第１の態様による骨盤ベルトであって、前記左右の臀部領域同士の前記つなぎ部は、他の前記つなぎ部よりも上下に長く、かつ、前記３本以上の帯の本数は、前記左右の腰側部領域よりも前記左右の臀部領域の方が多く、かつ、前記左右の臀部領域における前記３本以上の帯のうち、下端の帯が最も長く、それにより臀部の下部をもカバーする。
【０００９】
この構成によれば、臀部の下部までもカバーされるので、体の線が一層くずれ難くなる。
【００１０】
本発明のうち第３の態様によるものは、第１又は第２の態様による骨盤ベルトであって、前記３本以上の帯は、上下両端の帯よりも短い帯をそれらの間に含んでいる。
この構成によれば、より自然な締め付け感が得られる。
【００１１】
本発明のうち第４の態様によるものは、第１から第３のいずれかの態様による骨盤ベルトであって、各つなぎ部及び各ベルト端部には、それぞれに隣接する領域の前記３本以上の帯が連結される非伸縮性の生地の帯が配置されている。
この構成によれば、各領域における３本以上の帯の上下にわたる全幅が一定に保持される。
【００１２】
本発明のうち第５の態様によるものは、第１から第４のいずれかの態様による骨盤ベルトであって、前記各つなぎ部の裏側には、滑り止めが設けられている。
この構成によれば、装着したときの位置ずれが、滑り止めと骨盤ベルトの下に着衣される下着等との間の摩擦により抑えられる。
【００１３】
本発明のうち第６の態様によるものは、第５の態様による骨盤ベルトであって、前記各つなぎ部の表側にも、滑り止めが設けられている。
【００１４】
この構成によれば、装着したときの位置ずれが、表側に設けられた滑り止めと骨盤ベルトの外に着衣されるスラックス等との間の摩擦によっても押さえられる。
【００１５】
本発明のうち第７の態様によるものは、第１から第６のいずれかの態様による骨盤ベルトであって、前記左右の臀部領域同士のつなぎ部を除き、前記左右の腰側部領域と前記左右の臀部領域とのつなぎ部に、剛性の芯材が設けられている。
【００１６】
この構成によれば、つなぎ部がよれることなく、腰回りへの均一な締め付けが実現すると同時に、装着した使用者が座ったときに、異物感・違和感を生じない。
【００１７】
本発明のうち第８の態様によるものは、第１から第７のいずれかの態様による骨盤ベルトであって、前記各領域の前記３本以上の帯の生地は、ナイロン繊維を巻き付けたウレタン繊維をメッシュ状に織り込んだ生地である。
【００１８】
この構成によれば、各領域の前記３本以上の帯が、弾性的な伸縮性に富み、かつ隙間が多く通気性に優れるので、フィット感が一層高められ、蒸れが一層効果的に抑えられる。
【００１９】
本発明のうち第９の態様によるものは、第１から第８のいずれかの態様による骨盤ベルトであって、前記ベルト両端部に、対をなす面ファスナーが設けられており、それにより前記ベルト両端部が互いに着脱自在に連結される。
【００２０】
この構成によれば、装着したきの違和感を生じることなく、着脱の操作を迅速かつ容易に行い得る。
【発明の効果】
【００２１】
以上のように本発明によれば、身体へのフィット感が向上し、かつ蒸れにくい骨盤ベルトが実現する。
【図面の簡単な説明】
【００２２】
【図１】本発明の一実施の形態による骨盤ベルトを表側から見た外観図である。
【図２】図１の骨盤ベルトを裏側から見た外観図である。
【図３】図１の骨盤ベルトの使用状態を示す外観図である。
【図４】図１の骨盤ベルトの腰側部領域に配置される帯の形状を例示する平面図である。
【図５】図１の骨盤ベルトの臀部領域に配置される帯の形状を例示する平面図である。
【図６】図１の骨盤ベルトの帯の端部がつなぎ部において連結される形態を例示する概略説明図であり、（ａ）は連結される前の帯の端部の形状を示し、（ｂ）は連結されたときの帯の端部の形状を示し、（ｃ）は更に、つなぎ部に配置される別の生地に帯の端部が縫い合わされた形態を示す。
【図７】図１の骨盤ベルトの帯の端部がつなぎ部において連結される別の形態を例示する概略説明図であり、（ａ）は連結される前の帯の端部の形状を示し、（ｂ）は連結されたときの帯の端部の形状を示す。
【図８】図１の骨盤ベルトのつなぎ部に滑り止めが設けられた形態を例示する図である。
【図９】図１の骨盤ベルトのつなぎ部に芯材が適用されている形態を例示する図であり（ａ）は芯材が縫い込まれたつなぎ部を例示し、（ｂ）は芯材を例示する。
【発明を実施するための形態】
【００２３】
図１は、本発明の一実施の形態による骨盤ベルトを表側から見た外観図であり、図２は、同骨盤ベルトを裏側から見た外観図である。また、図３は、同骨盤ベルトの使用状態を示す外観図である。この骨盤ベルト１０１は、使用者４０の腰回りに装着し、身体の前部においてベルト両端部１，３を互いに連結することによって、使用に供される。ベルト両端部１，３が連結されることにより骨盤ベルト１０１は環状となり、その張力により使用者４０の骨盤を適度に締め付ける。図示の例では、ベルト両端部１，３には、着脱自在に連結することを可能にする面ファスナーの対２，４が設けられている。
【００２４】
ベルト両端部１，３の間は、順に、左腰側部（ひだりこしそくぶ）領域５、左臀部領域７、右臀部領域９、及び右腰側部領域１１の４領域に分割されている。これらの左腰側部領域５、左臀部領域７，右臀部領域９、及び右腰側部領域１１は、骨盤ベルト１０１が身体に装着されたとき、身体の左腰側部、左臀部，右臀部、及び右腰側部に当たる領域である。ベルト両端部１，３は、身体の前部に当たる。
【００２５】
左右の腰側部５，１１には、伸縮性かつ通気性に富む生地の３本の帯１３，１５，１７が、部分的に重なり合いつつ、隙間無く上下に並ぶように配置されている。同様に、左右の臀部領域７，９には、伸縮性かつ通気性に富む生地の４本の帯１９，２１，２３，２５が、部分的に重なり合いつつ、隙間無く上下に並ぶように配置されている。ナイロン繊維を巻き付けたウレタン繊維をメッシュ状に織り込んだ生地が知られており、軽量かつ伸縮性及び通気性に優れている。帯１３，１５，１７，１９，２１，２３，２５の生地として、この生地が好適である。帯１３，１５，１７，１９，２１，２３，２５が伸縮性かつ通気性に富むことから、使用者４０が骨盤ベルト１０１を装着したときの身体へのフィット感が高められるとともに、蒸れにくく使い心地が快適なものとなる。また、帯１３，１５，１７，１９，２１，２３，２５は、上下に３本あるいは４本に分けて配置されるので、これらの帯が、腰回りの上下方向に沿った部分ごとに個別に沿い易く、身体へのフィット感が特に向上する。
【００２６】
ベルト両端部１，３と、各領域５，７，９，１１のつなぎ部２７，２９，３１とには、例えばポリエステルなどの非伸縮性の生地が配置され、３本の帯１３，１５，１７及び４本の帯１９，２１，２３，２５の両端部は、これらの非伸縮性の生地に縫い合わされている。このため、領域５，１１の３本の帯１３，１５，１７及び領域７，９の４本の帯１９，２１，２３，２５の上下にわたる全幅が一定に保持される。また、左右の臀部領域７，９のつなぎ部２９は、他のつなぎ部２７，３１及びベルト両端部１，３よりも上下に長く設定されている。しかも上記の通り、帯は、左右の腰側部領域５，１１よりも左右の臀部領域７，９の方が多く配置されている。このため、図３に明瞭に示されるように、骨盤ベルト１０１は使用者４０の臀部の下部をもカバーする。このことは、使用者４０の身体の線がくずれ難くすることに貢献する。
【００２７】
ベルト両端部１，３では、３本の帯１３，１５，１７の端部が縫い合わされる非伸縮性の生地に、面ファスナー２，４が縫い合わされている。面ファスナー２，４は、使用者４０が骨盤ベルト１０１を装着したときに、連結部位に違和感を生じることなく、しかも着脱の操作を迅速かつ容易に行い得る点で、骨盤ベルト１０１に好適である。別の例として、面ファスナー２，４の基材となるシートが、非伸縮性の生地を兼ね、これに３本の帯１３，１５，１７の端部が縫い合わされていても良い。図１及び図２には、この形態が例示されている。また、つなぎ部２７，２９，３１に、非伸縮性の生地を配置しない形態を採ることも可能である。この場合、各領域５，７，９，１１の３本の帯１３，１５，１７及び４本の帯１９，２１，２３，２５の端部は、他の生地を介することなく、直接に互いに縫い合わせられてもよい。
【００２８】
図４は、腰側部領域５，１１に配置される帯１３，１５，１７の形状を例示する平面図である。図４において左側が、骨盤ベルト１０１を装着したときの身体の後方に相当する。また、図５は、臀部領域７，９に配置される帯１９，２１，２３，２５の形状を例示する平面図である。図５においても左側が、骨盤ベルトを装着したときの身体の後方に相当する。腰側部領域５，１１に配置される帯１３，１５，１７のうち、つなぎ部２７，３１に連結される端部、すなわち図４において左側端部は、弧状に膨らみ出る輪郭形状を成している。同様に、臀部領域７，９に配置される帯１９，２１，２３，２５のうち、つなぎ部２７，３１に連結される端部すなわち図５において右側端部、及びつなぎ部２９に連結される端部すなわち図５において左側端部は、弧状に膨らみ出る輪郭形状を成している。これらの輪郭形状は、帯１３，１５，１７，１９，２１，２３，２５の本来の形状であり、平坦面上に置いたときの形状、すなわち平面形状である。
【００２９】
図６は、帯１３，１９を例として、それらの端部がつなぎ部２７において連結される形態の一例を示す概略説明図であり、（ａ）は連結される前の帯１３、１９の端部の平面形状を示し、（ｂ）は連結されたときの帯１３，１９の端部の形状を示し、（ｃ）は更に、つなぎ部２７に配置される生地に帯１３，１９の端部が縫い合わされた形態を示す。図６（ａ）に示すように、帯１３，１９の端部の輪郭は弧状に膨らみ出る平面形状を成している。帯１３，１９は、それらの端部が縫い目３７に沿って縫い合わされる。縫い目３７は、膨らみ出る端部の輪郭に沿うように形成される（図６（ａ）参照）。図６（ｂ）に示すように、縫い目３７は、骨盤ベルト１０１の長尺方向（すなわち図において水平方向）には膨らまない。言い換えると、縫い目３７は平面視において直線に沿ったものとなる。その結果、ベルト端部１，３を互いに連結することにより環状とされた骨盤ベルト１０１に、丸みをもって外方に張り出す腰回りの形に合う立体的な膨らみ、すなわち丸みが付与される。それにより、使用者４０が骨盤ベルト１０１を装着したときの身体へのフィット感が一層高められる。つなぎ部２７に非伸縮性の生地が配置される場合には、図６（ｃ）に例示するように、縫い目３７により縫い合わされた帯１３，１９は、つなぎ部２７に配置される非伸縮性の生地により表裏が覆われ、さらに縫い目３９に沿ってこれらの生地に縫い合わされる。
【００３０】
図７は、帯１３，１９を例として、それらの端部がつなぎ部２７において連結される別の形態を例示する概略説明図であり、（ａ）は連結される前の帯１３、１９の端部の平面形状を示し、（ｂ）は連結されたときの帯１３，１９の端部の形状を示している。図７の例では、帯１３，１９は、それらの端部が縫い目４１，４３に沿って、つなぎ部２７に配置される非伸縮性の生地に縫い合わされる。縫い目４１，４３は、膨らみ出る端部の輪郭に沿うように形成される（図７（ａ）参照）。図７（ｂ）に示すように、縫い目４１，４３は、骨盤ベルト１０１の長尺方向（すなわち図において水平方向）には膨らまない。すなわち図６の例と同様に、縫い目４１，４３は平面視において直線に沿ったものとなる。その結果、ベルト端部１，３を互いに連結することにより環状とされた骨盤ベルト１０１に、腰回りの形に合う立体的な膨らみ、すなわち丸みが付与される。それにより、使用者４０が骨盤ベルト１０１を装着したときの身体へのフィット感が一層高められる。
【００３１】
図４に例示したように、帯１３，１５，１７のうち、中央の帯１５は最も短く設定されている。また、図５に例示したように、帯１９，２１，２３，２５のうち、帯２１は最も短く設定されている。このように、帯１３，１５，１７及び帯１９，２１，２３，２５は、上下両端よりも中央側において、最も短い帯を含んでいる。最も短い帯１５，２１は、骨盤ベルト１０１が装着されたときに、最も強い張力を発揮する。そのため、使用者４０が骨盤ベルト１０１を装着したときに、骨盤が最も外方に張り出している部位において最も強い締め付け力が発揮されるので、自然な締め付け感が得られる。特に、左右の臀部領域７，９の帯１９，２１，２３，２５のうち、下端に配置される帯２５は、最も長く設定される。このため、使用者４０の臀部の下部が、窮屈感のない自然な感触でカバーされる。
【００３２】
図８に、つなぎ部２７について例示するように、各つなぎ部２７，２９，３１の裏側、すなわち身体に触れる面には、例えばウレタン製の凹凸列などの滑り止め３５が設けられる。これにより、使用者４０が骨盤ベルト１０１を装着したときに、下着等との摩擦が増すので、位置ずれが抑えられる。滑り止めは、例えば接着により、各つなぎ部２７，２９，３１の裏側に固定される。滑り止め３５は、各つなぎ部２７，２９，３１の表側にも設けられて良い。それにより、スカート、スラックス等との摩擦力によっても、位置ずれが抑えられる。
【００３３】
図９は、つなぎ部２７を例としてつなぎ部に芯材が適用される形態を例示する図である。図１及び図２にも、外観上は見えない芯材３３を便宜上表している。これらの図に例示するように、つなぎ部２７，３１には、例えばプラスチック板などの剛性の芯材３３が縫い込まれている。これにより、使用者４０が骨盤ベルト１０１を装着したときに、つなぎ部２７，３１がよれることなく、腰回りへの均一な締め付けが実現する。一方、つなぎ部２９には、芯材３３は縫い込まれないのが望ましい。それにより、骨盤ベルト１０１を装着した使用者４０が座したときに、芯材３３が身体を押圧し、異物感・違和感を覚えることを避けることができる。なお、「芯材３３をつなぎ部２７，２９に縫い込む」とは、必ずしも芯材３３に縫い糸を通すことを要さず、芯材３３がつなぎ部２７，２９からはみ出ないように、その周囲を縫い込むことをも含む趣旨である。
【符号の説明】
【００３４】
１，３  ベルト端部、  ２，４  面ファスナー、  ５  左腰側部領域、  ７  左臀部領域、  ９  右臀部領域、  １１  右腰側部領域、  １３，１５，１７，１９，２１，２３，２５  帯、  ２７，２９，３１  つなぎ部、  ３３  芯材、  ３５  滑り止め、  ３７，３９  縫い目、  ４０  使用者、  ４１，４３  縫い目、１０１  骨盤ベルト。
【図１】
2017209264.tif 000003
【図２】
2017209264.tif 000004
【図３】
2017209264.tif 000005
【図４】
2017209264.tif 000006
【図５】
2017209264.tif 000007
【図６】
2017209264.tif 000008
【図７】
2017209264.tif 000009
【図８】
2017209264.tif 000010
【図９】
2017209264.tif 000011